(57)【要約】【課題】  十分に消費電力を軽減する。【解決手段】  再生装置２００は、モデム２１１と、ＰＥＳヘッダ解析部２１２と、ピクチャヘッダ解析部２１３と、決定部２２１と、制御部２２２と、表示部２５０などとを含む。モデム２１１は、信号を受付ける。ＰＥＳヘッダ解析部２１２は、受付けられた信号がビデオストリームおよびオーディオストリームのいずれであるかを識別する。ピクチャヘッダ解析部２１３は、ＩピクチャＰＥＳおよびＰピクチャＰＥＳなどのいずれであるかを識別する。決定部２２１は、モデム２１１などが稼動する周期を決定する。制御部２２２は、決定部２２１が決定した周期で稼動するように、モデム２１１などを制御する。表示部２５０などは、映像信号および音声信号に基づき、映像および音声を出力する。【選択図】        図１
2006319885.tif 000002
【特許請求の範囲】
【請求項１】
映像を表わす信号である映像信号および音声を表わす信号である音声信号を受付けるための受付手段と、
前記受付手段が受付けた信号が前記映像信号および音声信号のいずれであるかを識別するための第１の識別手段と、
前記映像信号が、独立して映像を表わす信号である第１の信号および前記第１の信号に基づき映像を表わす信号である第２の信号のいずれであるかを識別するための第２の識別手段と、
前記第１の識別手段が音声信号を識別した時刻および前記第２の識別手段が第１の信号を識別した時刻に基づき、前記受付手段、第１の識別手段、および第２の識別手段が稼動する周期を決定するための決定手段と、
前記決定手段が決定した周期で稼動するように、前記受付手段、第１の識別手段、および第２の識別手段を制御するための制御手段と、
前記映像信号および音声信号に基づき、映像および音声を出力するための出力手段とを含む、再生装置。
【請求項２】
前記制御手段は、前記決定手段が決定した周期で電力を供給することにより、前記受付手段、第１の識別手段、および第２の識別手段を制御するための手段を含む、請求項１に記載の再生装置。
【請求項３】
前記再生装置は、前記制御手段が稼動するか否かを制御するための手段をさらに含む、請求項１に記載の再生装置。
【請求項４】
前記決定手段は、前記受付手段が第１の信号および音声信号を連続して受付けると、前記第２の識別手段が第１の信号の識別を開始した時刻に基づき、前記受付手段、第１の識別手段、および第２の識別手段が稼動する周期を決定するための手段を含む、請求項１に記載の再生装置。
【請求項５】
前記周期を決定するための手段は、
前記受付手段が第１の信号および音声信号を連続して受付けると、前記第２の識別手段が第１の信号の識別を開始する時刻の間隔を測定するための手段と、
前記第１の信号の識別を開始する時刻の複数の間隔に基づき、前記受付手段、第１の識別手段、および第２の識別手段が稼動する周期を決定するための手段とを含む、請求項４に記載の再生装置。
【請求項６】
前記決定手段は、前記受付手段が第１の信号および音声信号を連続して受付けると、前記第１の信号および音声信号の一方の識別を開始した時刻から他方の識別を終了した時刻までのいずれかの時刻に基づき、前記受付手段、第１の識別手段、および第２の識別手段が稼動する周期を決定するための手段を含む、請求項１に記載の再生装置。
【請求項７】
前記第１の信号は、Ｉピクチャを表わす信号を含み、
前記第２の信号は、ＰピクチャおよびＢピクチャのいずれかを含む、請求項１に記載の再生装置。
【請求項８】
前記出力手段は、
前記映像信号を復号するための第１の復号手段と、
前記音声信号を復号するための第２の復号手段と、
前記第１の復号手段および第２の復号手段が復号した信号に基づき、映像および音声を出力するための手段とを含む、請求項１に記載の再生装置。
【請求項９】
映像を表わす信号である映像信号および音声を表わす信号である音声信号を受付ける受付ステップと、
前記受付ステップにおいて受付けた信号が前記映像信号および音声信号のいずれであるかを識別する第１の識別ステップと、
前記映像信号が、独立して映像を表わす信号である第１の信号および前記第１の信号に基づき映像を表わす信号である第２の信号のいずれであるかを識別する第２の識別ステップと、
前記第１の識別ステップにおいて音声信号を識別した時刻および前記第２の識別ステップにおいて第１の信号を識別した時刻に基づき、前記受付ステップ、第１の識別ステップ、および第２の識別ステップが稼動する周期を決定する決定ステップと、
前記決定ステップにおいて決定した周期で稼動するように、前記受付ステップ、第１の識別ステップ、および第２の識別ステップを制御する制御ステップと、
前記映像信号および音声信号に基づき、映像および音声を出力する出力ステップとを含む各ステップをコンピュータに実行させるための再生プログラム。
【請求項１０】
再生プログラムを記録したコンピュータ読取り可能な記録媒体であって、
映像を表わす信号である映像信号および音声を表わす信号である音声信号を受付ける受付ステップと、
前記受付ステップにおいて受付けた信号が前記映像信号および音声信号のいずれであるかを識別する第１の識別ステップと、
前記映像信号が、独立して映像を表わす信号である第１の信号および前記第１の信号に基づき映像を表わす信号である第２の信号のいずれであるかを識別する第２の識別ステップと、
前記第１の識別ステップにおいて音声信号を識別した時刻および前記第２の識別ステップにおいて第１の信号を識別した時刻に基づき、前記受付ステップ、第１の識別ステップ、および第２の識別ステップが稼動する周期を決定する決定ステップと、
前記決定ステップにおいて決定した周期で稼動するように、前記受付ステップ、第１の識別ステップ、および第２の識別ステップを制御する制御ステップと、
前記映像信号および音声信号に基づき、映像および音声を出力する出力ステップとを含む各ステップをコンピュータに実行させるための再生プログラムを記録したコンピュータ読取り可能な記録媒体。
【発明の詳細な説明】
【技術分野】
【０００１】
本発明は、再生装置、再生プログラム、および再生プログラムを記録したコンピュータ読取り可能な記録媒体に関し、特に、特にＭＰＥＧ（Moving Picture Experts Group）に代表される再生用の信号を圧縮する再生装置、再生プログラム、および再生プログラムを記録したコンピュータ読取り可能な記録媒体に関する。
【背景技術】
【０００２】
特許文献１は、再生装置を開示する。図１１を参照して、特許文献１に開示された再生装置において、モデム１１１にストリームが入力される。ＰＥＳ（Packetized Elementary Stream）ヘッダ解析部１１２は、ＰＥＳヘッダを解析することにより、入力されたストリームをオーディオＰＥＳとビデオＰＥＳとに分離する。オーディオＰＥＳはオーディオ復号部１３０で復号される。復号されたオーディオＰＥＳは、表示部１５０に入力される。ピクチャヘッダカウンタ回路１１４は、受信したビデオＰＥＳのうち、予め設定されているＩピクチャ（「Ｉピクチャ」の意味は後述する）の出現周期に合ったピクチャＰＥＳのみを出力する。ピクチャヘッダ解析回路１１３は、ピクチャヘッダカウンタ回路１１４から受取ったピクチャＰＥＳを解析する。ピクチャＰＥＳが解析されると、ピクチャヘッダ解析回路１１３は、解析したピクチャデータがＩピクチャの場合、ピクチャヘッダカウンタ回路１１４での同期タイミングが合っていると判断する。ピクチャヘッダ解析回路１１３は、解析したピクチャデータがＩピクチャの場合、Ｉピクチャであるピクチャデータを出力する。ピクチャヘッダ解析回路１１３は、解析したピクチャデータがＩピクチャ以外のピクチャ（ＰピクチャまたはＢピクチャ）の場合、ピクチャデータを出力しない。ピクチャヘッダ解析回路１１３は、解析したピクチャデータがＩピクチャ以外のピクチャの場合、ピクチャヘッダカウンタ回路１１４での同期タイミングが外れていると判断する。ピクチャヘッダ解析回路１１３は、解析したピクチャデータがＩピクチャ以外のピクチャの場合、ピクチャヘッダカウンタ回路１１４（ピクチャヘッダカウンタ回路１１４は同期を保護するための仕組みを有する）に対して再同期を指示する。ビデオ復号ブロック１４０は、ピクチャヘッダ解析回路１１３から、Ｉピクチャであるピクチャデータのみを受取る。可変長復号器１４１は、可変長符号を復号することにより、量子化されたＤＣＴ（Discrete Cosine Transform：離散コサイン変換）係数を出力する。逆量子化器１４２は、逆量子化されたＤＣＴ係数を出力する。逆ＤＣＴ器１４３は、ＤＣＴ係数を逆離散コサイン変換することで符号化されていたピクチャを復号する。
【０００３】
特許文献１に開示された発明によると、ピクチャヘッダカウンタ回路１１４とピクチャヘッダ解析回路１１３との組合わせによる操作によって、ビデオ復号ブロック１４０に入力されるピクチャタイプがＩピクチャのみに制限されるので、フレームメモリ１４６と動き補償予測回路１４７とを動作させなくてもよい（従来、ビデオ復号ブロック１４０がＢピクチャとＰピクチャとを受取るので、再生装置は、可変長復号器１４１、逆量子化器１４２および逆ＤＣＴ器１４３に加えて、フレームメモリ１４６と動き補償予測回路１４７とを動作させる必要があった）。また、可変長復号器１４１、逆量子化器１４２、および逆ＤＣＴ器１４３は、すべてのピクチャデータ（Ｉピクチャ、Ｐピクチャ、およびＢピクチャ）の復号時に動作させる必要があるが、ビデオ復号ブロック１４０に入力されるデータがＩピクチャのみなので、動作頻度が少ない。これにより、特許文献１に開示された発明によると、ストリームの中に周期的にＩピクチャが出現するという前提の下で、ビデオ復号ブロック１４０における消費電力を低減できる。
【特許文献１】特開２００４−２３１７３号公報
【発明の開示】
【発明が解決しようとする課題】
【０００４】
しかし、特許文献１に開示された発明では、モデム部１１１などが常時電力を消費するので、消費電力の軽減に限界があるという問題点がある。モデム部１１１などが常時電力を消費する理由は、モデム部１１１などがストリーム処理中に、処理中のストリームの内容がビデオであるかオーディオであるか、またビデオである場合は何れのピクチャタイプであるかを、把握できていないことにある。
【０００５】
本発明は上述の問題点を解決するためになされたものであって、その目的は、十分に消費電力を軽減できる再生装置、再生プログラム、および再生プログラムを記録したコンピュータ読取り可能な記録媒体を提供することにある。
【課題を解決するための手段】
【０００６】
上記目的を達成するために、本発明のある局面に従うと、再生装置は、受付手段と、第１の識別手段と、第２の識別手段と、決定手段と、制御手段と、出力手段とを含む。受付手段は、映像を表わす信号である映像信号および音声を表わす信号である音声信号を受付ける。第１の識別手段は、受付手段が受付けた信号が映像信号および音声信号のいずれであるかを識別する。第２の識別手段は、映像信号が、独立して映像を表わす信号である第１の信号および第１の信号に基づき映像を表わす信号である第２の信号のいずれであるかを識別する。決定手段は、第１の識別手段が音声信号を識別した時刻および第２の識別手段が第１の信号を識別した時刻に基づき、受付手段、第１の識別手段、および第２の識別手段が稼動する周期を決定する。制御手段は、決定手段が決定した周期で稼動するように、受付手段、第１の識別手段、および第２の識別手段を制御する。出力手段は、映像信号および音声信号に基づき、映像および音声を出力する。
【０００７】
また、上述の制御手段は、決定手段が決定した周期で電力を供給することにより、受付手段、第１の識別手段、および第２の識別手段を制御するための手段を含むことが望ましい。
【０００８】
また、上述の再生装置は、制御手段が稼動するか否かを制御するための手段をさらに含むことが望ましい。
【０００９】
また、上述の決定手段は、受付手段が第１の信号および音声信号を連続して受付けると、第２の識別手段が第１の信号の識別を開始した時刻に基づき、受付手段、第１の識別手段、および第２の識別手段が稼動する周期を決定するための手段を含むことが望ましい。
【００１０】
また、上述の周期を決定するための手段は、受付手段が第１の信号および音声信号を連続して受付けると、第２の識別手段が第１の信号の識別を開始する時刻の間隔を測定するための手段と、第１の信号の識別を開始する時刻の複数の間隔に基づき、受付手段、第１の識別手段、および第２の識別手段が稼動する周期を決定するための手段とを含むことが望ましい。
【００１１】
また、上述の決定手段は、受付手段が第１の信号および音声信号を受付けると、第１の信号および音声信号の一方の識別を開始した時刻から他方の識別を終了した時刻までのいずれかの時刻に基づき、受付手段、第１の識別手段、および第２の識別手段が稼動する周期を決定するための手段を含むことが望ましい。
【００１２】
また、上述の第１の信号は、Ｉピクチャを表わす信号を含むことが望ましい。併せて第２の信号は、ＰピクチャおよびＢピクチャのいずれかを含むことが望ましい。
【００１３】
また、上述の出力手段は、映像信号を復号するための第１の復号手段と、音声信号を復号するための第２の復号手段と、第１の復号手段および第２の復号手段が復号した信号に基づき、映像および音声を出力するための手段とを含むことが望ましい。
【００１４】
本発明の他の局面に従うと、再生プログラムは、受付ステップと、第１の識別ステップと、第２の識別ステップと、決定ステップと、制御ステップと、出力ステップとを含む各ステップをコンピュータに実行させるための再生プログラムである。受付ステップは、映像を表わす信号である映像信号および音声を表わす信号である音声信号を受付ける。第１の識別ステップは、受付ステップにおいて受付けた信号が映像信号および音声信号のいずれかであるかを識別する。第２の識別ステップは、映像信号が、独立して映像を表わす信号である第１の信号および第１の信号に基づき映像を表わす信号である第２の信号のいずれであるかを識別する。決定ステップは、第１の識別ステップにおいて音声信号を識別した時刻および第２の識別ステップにおいて第１の信号を識別した時刻に基づき、受付ステップ、第１の識別ステップ、および第２の識別ステップが稼動する周期を決定する。制御ステップは、決定ステップにおいて決定した周期で稼動するように、受付ステップ、第１の識別ステップ、および第２の識別ステップを制御する。出力ステップは、映像信号および音声信号に基づき、映像および音声を出力する。
【００１５】
本発明の他の局面に従うと、記録媒体は、再生プログラムを記録したコンピュータ読取可能な記録媒体である。再生プログラムは、受付ステップと、第１の識別ステップと、第２の識別ステップと、決定ステップと、制御ステップと、出力ステップとを含む各ステップをコンピュータに実行させるための再生プログラムを記録したコンピュータ読取可能な記録媒体である。受付ステップは、映像を表わす信号である映像信号および音声を表わす信号である音声信号を受付ける。第１の識別ステップは、受付ステップにおいて受付けた信号が映像信号および音声信号のいずれかであるかを識別する。第２の識別ステップは、映像信号が、独立して映像を表わす信号である第１の信号および第１の信号に基づき映像を表わす信号である第２の信号のいずれであるかを識別する。決定ステップは、第１の識別ステップにおいて音声信号を識別した時刻および第２の識別ステップにおいて第１の信号を識別した時刻に基づき、受付ステップ、第１の識別ステップ、および第２の識別ステップが稼動する周期を決定する。制御ステップは、決定ステップにおいて決定した周期で稼動するように、受付ステップ、第１の識別ステップ、および第２の識別ステップを制御する。出力ステップは、映像信号および音声信号に基づき、映像および音声を出力する。
【発明の効果】
【００１６】
本発明に係る再生装置、再生プログラム、および再生プログラムを記録したコンピュータ読取り可能な記録媒体は、十分に消費電力を軽減できる。
【発明を実施するための最良の形態】
【００１７】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１８】
図１を参照して、本実施の形態に係る再生装置２００は、第１制御ブロック２１０と、第２制御ブロック２２０と、オーディオ復号部２３０と、ビデオ復号ブロック２４０と、表示部２５０と、動作モード切替部２６０とを含む。第１制御ブロック２１０は、映像や音声を再生する際、必要な期間（本実施の形態の場合、簡易再生用ＰＥＳを受信する期間）のみ電源が供給されることにより、不必要な期間（本実施の形態の場合、ＰピクチャおよびＢピクチャを受信する期間、または簡易再生用ＰＥＳに属しないＩピクチャを受信する期間）に電力が遮断されることによって、再生装置２００が消費する電力の軽減に寄与するブロックである。第２制御ブロック２２０は、第１制御ブロック２１０が稼動するか否かを制御するブロックである。オーディオ復号部２３０は、オーディオストリームを表わす信号（音声信号）を復号する装置である。ビデオ復号ブロック２４０は、ビデオストリームを表わす信号（映像信号）を復号する装置である。表示部２５０は、ビデオ復号ブロック２４０およびオーディオ復号部２３０が復号した信号に基づき、映像および音声を出力する装置である。動作モード切替部２６０は、後述する制御部２２２が稼動するか否かを制御する装置である。
【００１９】
第１制御ブロック２１０は、モデム２１１と、ＰＥＳヘッダ解析部２１２と、ピクチャヘッダ解析部２１３とを含む。モデム２１１は、変調されたＭＰＥＧデータ（映像を表わすデータであるビデオストリームおよび音声を表わすデータであるオーディオストリーム）をそれぞれ信号として受付け、復調する装置である。ＰＥＳヘッダ解析部２１２は、モデム２１１が受付けた信号がビデオストリームを表わす信号およびオーディオストリームを表わす信号のいずれであるかを識別する装置である。ピクチャヘッダ解析部２１３は、ビデオストリームが、独立して映像を表わす信号（本実施の形態の場合、ＩピクチャＰＥＳとしてＩピクチャを表わす信号）およびＩピクチャの信号に基づき映像を表わす信号（本実施の形態の場合、ＰピクチャＰＥＳとしてＰピクチャを表わす信号もしくはＢピクチャＰＥＳとしてＢピクチャを表わす信号）のいずれであるかを識別する装置である。
【００２０】
第２制御ブロック２２０は、決定部２２１と、制御部２２２とを含む。決定部２２１は、ＰＥＳヘッダ解析部２１２がオーディオストリームを表わす信号を識別した時刻およびピクチャヘッダ解析部２１３がＩピクチャＰＥＳを表わす信号を識別した時刻に基づき、モデム２１１、ＰＥＳヘッダ解析部２１２、およびピクチャヘッダ解析部２１３が稼動する周期を決定する装置である。制御部２２２は、決定部２２１が決定した周期で稼動するように、モデム２１１、ＰＥＳヘッダ解析部２１２、およびピクチャヘッダ解析部２１３を制御する装置である。本実施の形態において、決定部２２１は、発振回路を含む。発振回路は、時刻を検出する回路である。制御部２２２は、カウンタを含む。カウンタは、時刻に連動して、周期的に変動する値を出力する装置（ループカウンタ）である。
【００２１】
ビデオ復号ブロック２４０は、可変長復号器２４１と、逆量子化器２４２と、逆ＤＣＴ器２４３と、加算器２４４と、Ｂ・Ｐピクチャ専用部２４５とを含む。可変長復号器２４１は、ビデオストリームである可変長符号を量子化ＤＣＴ係数に復号する装置である。逆量子化器２４２は、量子化ＤＣＴ係数をＤＣＴ係数に変換する装置である。逆ＤＣＴ器２４３は、ＤＣＴ係数を画像に変換する装置である。加算器２４４は、逆ＤＣＴ器２４３およびＢ・Ｐピクチャ専用部２４５が変換した画像を合成する装置である。Ｂ・Ｐピクチャ専用部２４５は、ＢピクチャおよびＰピクチャのいずれかに基づき画像を変換する装置である。Ｂ・Ｐピクチャ専用部２４５は、フレームメモリ２４６と、動き補償予測回路２４７とを含む。フレームメモリ２４６は、過去に加算器２４４が出力した画像を記憶する。動き補償予測回路２４７は、ＢピクチャおよびＰピクチャに基づき、差動成分を復号することにより、差動成分画像信号を生成する回路である。
【００２２】
表示部２５０は、スピーカを含む。スピーカは、オーディオ復号部２３０が復号したオーディオストリームに基づき、音声を出力する。
【００２３】
図２を参照して、モデム２１１が受付けるＭＰＥＧデータは、パックヘッダとビデオＰＥＳとオーディオＰＥＳとを含む。パックヘッダには、ＭＰＥＧストリーム再生時に使用されるシステム時刻基準参照値などが記述されている。ビデオＰＥＳは、映像を表わすデータ（ビデオストリーム）を後述するＩピクチャ、Ｐピクチャ、およびＢピクチャごとにパケット化したものである。オーディオＰＥＳは、音声を表わすオーディオストリームを含むパケットである。一般に、ＭＰＥＧデータの場合、ビデオＰＥＳとオーディオＰＥＳとの配列に明確な規定はない。ビデオＰＥＳおよびオーディオＰＥＳは、それぞれＰＥＳヘッダとＰＥＳペイロードとを含む。ＰＥＳヘッダは、ＰＥＳがビデオＰＥＳからオーディオＰＥＳかを識別するための情報を含む。ＰＥＳペイロードはＰＥＳが表わそうとする映像および音声のいずれかの内容を表わす。ＰＥＳがビデオＰＥＳの場合、ＰＥＳペイロードにはピクチャヘッダとピクチャが含まれている。ＰＥＳがオーディオＰＥＳの場合、ＰＥＳペイロードにはフレームヘッダと、オーディオフレームとが含まれている。
【００２４】
図３および図４を参照して、モデム２１１が受付けるＭＰＥＧデータについて説明する。図３および図４は、本実施の形態に係るモデム２１１が受付けるＭＰＥＧデータのＰＥＧの配列を表わす図である。
【００２５】
ＭＰＥＧは、映像および音声の符号化方式の一種である。ＭＰＥＧのうち、ＭＰＥＧ−１は当初から１〜１．５Ｍｂｐｓ程度のビットレートでＣＤ−ＲＯＭ（Compact Disk Read Only Memory）上にデジタルビデオを蓄積することが想定されていた。その結果、ビデオＣＤが実現された。ＭＰＥＧ−２はさらなる高画質化のために２〜１５Ｍｂｐｓのビットレートを想定している。ＭＰＥＧ−２は記録媒体のＤＶＤ（Digital Versatile Disc）をはじめデジタル放送などにおける符号化方式として幅広く採用されている。ＭＰＥＧ方式をはじめとする映像符号化方式に共通する特徴は、映像を構成するフレームのそれぞれが、フレーム内符号化、フレーム間順方向予測符号化、およびフレーム間双方向予測符号化の３つのいずれかに分類されることである。フレーム内符号化されたフレームをＩピクチャ、フレーム間順方向予測符号化されたフレームをＰピクチャ、フレーム間双方向予測符号化されたフレームをＢピクチャと呼ぶ。Ｉピクチャは１フレーム内で符号化が完結されたものである。Ｉピクチャは自らのデータのみで画像フレームを復号できる。Ｐピクチャは、ＩピクチャまたはＰピクチャであって再生される時間の順序が前のフレームを参照画像として、順方向予測符号化されている。Ｐピクチャに基づきフレームを復号する際、参照画像を必要とする。Ｂピクチャは、ＩピクチャまたはＰピクチャを参照画像として（参照画像とされるＩピクチャまたはＰピクチャは、再生される時間の順序が前であっても後ろであってもよい）双方向予測符号化されている。Ｂピクチャに基づきフレームを復号する際、参照画像を必要とする。Ｉピクチャを復号するためには、可変長符号器、逆量子化器、および逆ＤＣＴ器を動作させる必要がある。ＰピクチャおよびＢピクチャを復号するためには、可変長復号器２４１、逆量子化器２４２、および逆ＤＣＴ器２４３に加えて、参照画像を蓄積するフレームメモリ２４６と動き補償予測器２４７とを動作させる必要がある。
【００２６】
ＭＰＥＧデータは、ビデオＰＥＳおよびオーディオＰＥＳのいずれかから構成される。ビデオＰＥＳは、Ｉピクチャを表わすＰＥＳ（ＩピクチャＰＥＳ）、Ｐピクチャを表わすＰＥＳ（ＰピクチャＰＥＳ）、およびＢピクチャを表わすＰＥＳ（ＢピクチャＰＥＳ）のいずれかである。ＰＥＳの並べ方には明確な規定がない。図３および図４において、「Ｉ」はＩピクチャＰＥＳを、「Ｐ」はＰピクチャＰＥＳを、「Ｂ」はＢピクチャＰＥＳを、「Ａ」はオーディオストリームを表わすＰＥＳ（オーディオＰＥＳ）を表わすこととする。なお、本実施の形態において、ＩピクチャＰＥＳと、そのパケットに連続するオーディオＰＥＳとのグループを、「簡易再生用ＰＥＳ」と称する。図３および図４において、ＩピクチャＰＥＳの数には制限がない。本実施の形態の場合、図４における第２区間や第３区間のように、各区間の先頭にＩピクチャＰＥＳとその直後に続くオーディオＰＥＳとの組み合わせが配置されていれば、各区間の先頭以外の部分にＩピクチャＰＥＳが配置されていても良い。つまり図３および図４における第１区間、第２区間、および第３区間の時間長はいずれもＴＳである。本実施の形態の場合、再生装置２００は、簡易再生用ＰＥＳが一定の周期で配置されているデータを再生することを前提としている。
【００２７】
本実施の形態の場合、再生装置２００は、図５に示すコンピュータハードウェア３００とＣＰＵ（Central Processing Unit）３０４により実行されるプログラムとにより実現される。一般的にこうしたプログラムは、ＦＤ（Flexible Disk）３２０やＣＤ−ＲＯＭ３３０などの記録媒体に格納されて流通し、ＦＤ駆動装置３１６やＣＤ−ＲＯＭ駆動装置３１８などにより記録媒体から読取られ、固定ディスク３１４に一旦格納される。さらに記憶部３０８に読出され、上述したＣＰＵ３０４により実行される。コンピュータハードウェア３００自体は一般的なものである。したがって、この場合、発明の最も本質的な部分はＦＤ３２０やＣＤ−ＲＯＭ３３０などの記録媒体に記録されたプログラムである。なお、コンピュータハードウェア３００自体の動作は周知であるので、ここではその詳細は繰返さない。
【００２８】
図６および図７を参照して、再生装置２００で実行されるプログラムは、遷移に関し、以下のような制御を実行する。
【００２９】
ステップ４００（以下、ステップをＳと略す。）にて、第１制御ブロック２１０、第２制御ブロック２２０、オーディオ復号部２３０、およびビデオ復号ブロック２４０は、通常モード（Ｉピクチャ、Ｐピクチャ、およびＢピクチャを再生するモード）でＭＰＥＧデータを復調し、かつ映像や音声を再生する。Ｓ４０２にて、決定部２２１は、簡易再生用ＰＥＳが到来する周期を算出する。この処理は後述するＳ４４０〜Ｓ４６０の各ステップに相当する。
【００３０】
Ｓ４０４にて、動作モード切替部２６０は通常モードから省電力モードへ遷移する旨の割込みがアプリケーションレベルのユーザインタフェースなどからあったか否かを判断し、割込みが合った場合には再生装置２００が準備モード（通常モードから省電力モード（Ｉピクチャのみを再生するモード）に遷移するための準備過程であり、簡易再生用ＰＥＳの先頭に同期してカウンタ値Ｃが「０」になるようにセットする）に遷移するように、制御部２２２を制御する。すなわち、通常モードから省電力モードへ遷移する旨の割込みがあったと判断した場合（Ｓ４０４にてＹＥＳ）、処理はＳ４０６へと移される。もしそうでないと（Ｓ４０４にてＮＯ）、処理はＳ４００へと移される。Ｓ４０６にて、ＰＥＳヘッダ解析部２１２がビデオストリームとオーディオストリームとを識別する。
【００３１】
Ｓ４０８にて、ピクチャヘッダ解析部２１３は、ＰＥＳヘッダ解析部２１２が出力したビデオストリームがＩピクチャＰＥＳか否かを判断する。ＩピクチャＰＥＳと判断した場合には（Ｓ４０８にてＹＥＳ）、処理はＳ４１０へと移される。もしそうでないと（Ｓ４０８にてＮＯ）、処理はＳ４０６へと移される。
【００３２】
Ｓ４１０にて、制御部２２２は、カウンタを起動する。カウンタが起動されると、制御部２２２は、カウンタを時間に連動するようにカウントアップさせる。これにより、カウンタ値Ｃは周期ＴＳに等しくなった時点で「０」になる（リセットされる）ので、ループカウンタとなる。
【００３３】
Ｓ４１２にて、ＰＥＳヘッダ解析部２１２は、ＩピクチャＰＥＳの直後にオーディオＰＥＳが受付けられたか否かを判断する。オーディオＰＥＳが受付けられたと判断した場合（Ｓ４１２にてＹＥＳ）、処理はＳ４１４へと移される。もしそうでないと（Ｓ４１２にてＮＯ）、処理はＳ４１６へと移される。Ｓ４１４にて、オーディオ復号部２３０は、モデム２１１が簡易再生用ＰＥＳを受付けたとして、オーディオＰＥＳを復調する。
【００３４】
Ｓ４１６にて、制御部２２２は、カウンタ値Ｃをリセットする。カウンタ値Ｃがリセットされると、制御部２２２は、カウンタを停止させる。
【００３５】
Ｓ４１８にて、制御部２２２は、第１制御ブロック２１０の各装置に信号を出力することにより、第１制御ブロック２１０の各装置が電力を断つように制御する。
【００３６】
Ｓ４２０にて、制御部２２２は、ループカウンタにおけるカウンタ値Ｃが一周して「０」に戻ったか否かを判断する。カウンタ値Ｃが「０」と判断した場合（Ｓ４２０にてＹＥＳ）、処理はＳ４２２へと移される。もしそうでないと（Ｓ４２０にてＮＯ）、処理はＳ４１８へと移される。
【００３７】
Ｓ４２２にて、制御部２２２は、ＩピクチャＰＥＳが到来したと判断し、第１制御ブロック２１０の各装置が通電を開始するように制御する。Ｓ４２４にて、ビデオ復号ブロック２４０は、ＩピクチャＰＥＳの復調を開始する。Ｓ４２６にて、ビデオ復号ブロック２４０は、ＩピクチャＰＥＳの復調を終了する。Ｓ４２８にて、オーディオ復号部２３０は、オーディオＰＥＳの復調を開始する。Ｓ４３０にて、オーディオ復号部２３０は、オーディオＰＥＳの復調を終了する。
【００３８】
Ｓ４３２にて、動作モード切替部２６０は、省電力モードを終了する旨の割込みがあったか否かを判断する。割込みがあったと判断した場合（Ｓ４３２にてＹＥＳ）、処理はＳ４３４へと移される。もしそうでないと（Ｓ４３２にてＮＯ）、処理はＳ４１８へと移される。
【００３９】
Ｓ４３４にて、動作モード切替部２６０は、再生装置２００が通常モードに復帰するよう制御する。制御部２２２は、第１制御ブロック２１０の各装置に信号を出力することにより、第１制御ブロック２１０の各装置が電力の供給を受けるように制御する。
【００４０】
図８を参照して、再生装置２００で実行されるプログラムは、周期の算出に関し、以下のような制御を実行する。
【００４１】
Ｓ４４０にて、決定部２２１は、変数Ｋの値として「−１」を設定する。Ｓ４４２にて、ＰＥＳヘッダ解析部２１２は、ビデオストリームとオーディオストリームとを識別する。ＰＥＳヘッダ解析部２１２は、受付けたパケットがビデオストリームの場合、受付けたパケットをピクチャヘッダ解析部２１３に出力する。ＰＥＳヘッダ解析部２１２は、受付けたパケットがオーディオストリームの場合、受付けたパケットをオーディオ信号部２３０に出力する。
【００４２】
Ｓ４４４にて、ピクチャヘッダ解析部２１３は、受付けたパケットがＩピクチャＰＥＳか否かを判断する。受付けたパケットがＩピクチャＰＥＳと判断した場合（Ｓ４４４にてＹＥＳ）、処理はＳ４４６へと移される。もしそうでないと（Ｓ４４４にてＮＯ）、処理はＳ４４２へと移される。
【００４３】
Ｓ４４６にて、ピクチャヘッダ解析部２１３は、信号により、受付けたパケットがＩピクチャＰＥＳであることを決定部２２１に通知する。決定部２２１は、自らが内蔵する発振回路の値を参照することにより、ＩピクチャＰＥＳの識別を開始した時刻を変数ＴＰに代入する。
【００４４】
Ｓ４４８にて、決定部２２１は、ＩピクチャＰＥＳの直後にオーディオＰＥＳが受付けられていたか否かを判断する。オーディオＰＥＳが受付けられていたと判断した場合（Ｓ４４８にてＹＥＳ）、処理はＳ４５０へと移される。もしそうでないと（Ｓ４４８にてＮＯ）、処理はＳ４４２へと移される。
【００４５】
Ｓ４５０にて、決定部２２１は、変数ＴＲに変数ＴＱの値を代入する。値が代入されると、決定部２２１は、変数ＴＱにＴＰの値を代入する。Ｓ４５２にて、決定部２２１は、変数Ｋの値を「１」増加させる。
【００４６】
Ｓ４５４にて、決定部２２１は、変数Ｋの値が「０」を上回るか否かを判断する。値が「０」を上回ると判断した場合（Ｓ４５４にてＹＥＳ）、処理はＳ４５６へと移される。もしそうでないと（Ｓ４５４にてＮＯ）、処理はＳ４４２へと移される。Ｓ４５６にて、決定部２２１は、変数Ｔ（Ｋ）にＴＱとＴＲとの差を代入する。
【００４７】
Ｓ４５８にて、決定部２２１は、変数Ｋの値と変数Ｎの値とが等しいか否かを判断する。値が等しいと判断した場合（Ｓ４５８にてＹＥＳ）、処理はＳ４６０へと移される。もしそうでないと（Ｓ４５８にてＮＯ）、処理はＳ４４２へと移される。Ｓ４６０にて、決定部２２１は、変数Ｔ（Ｋ）の平均値を求めることにより、簡易再生用ＰＥＳが到来する周期ＴＳを決定する。
【００４８】
以上のような構造およびフローチャートに基づく、再生装置の２００の動作について説明する。
【００４９】
通常モード時には、第１制御ブロック２１０に対して常に電源が供給されている。図９は、通常モードでの再生装置２００の内部における、信号のタイミングチャートである。図９の「制御部から第１制御ブロックへの信号」欄は、制御部２２２から第１制御ブロック２１０へ出力される信号により、通常モード時には、第１制御ブロック２１０が通電されるように制御されていることを示している。再生装置２００のモデム２１１は、ＯＦＤＭ（Orthogonal Frequency Division Multiplexing）などの変調方式で変調され、かつ伝播路上を伝送されたデータを受付る。モデム２１１は、受付けたデータを復調する。ビデオ復号ブロック２４０やオーディオ復号部２３０などは復調されたＭＰＥＧデータに基づき映像や音声を再生する（Ｓ４００）。本実施の形態の場合、モデム２１１が受付けるデータは、ビデオストリームおよびオーディオストリームから構成されるストリームを表わす信号として表わされることとする。図９の「モデムへの信号」欄は、モデム２１１が受付ける信号の内容を表わす。図９の「モデムからＰＥＳヘッダ解析部への信号」欄は、モデム２１１が復調し、かつＰＥＳヘッダ解析部２１２が受付ける信号の内容を表わす。ＰＥＳヘッダ解析部２１２が受付ける信号の内容自体は、モデム２１１が受付けた信号の内容と同じである。第１制御ブロック２１０に対して常に電源が供給されている結果、モデム２１１が受付けた信号はすべて復調されるためである。
【００５０】
ＭＰＥＧストリームが復調されると、決定部２２１は、変数Ｋの値として「−１」を設定する（Ｓ４４０）。値が設定されると、ＰＥＳヘッダ解析部２１２がビデオストリームとオーディオストリームとを識別する（Ｓ４４２）。ストリームが識別されると、決定部２２１は、識別されたＰＥＳがＩピクチャＰＥＳか否かを判断する（Ｓ４４４）。当初、ＰＥＳは、ＩピクチャＰＥＳではないので（Ｓ４４４にてＮＯ）、Ｓ４４２の処理を経て、ピクチャヘッダ解析部２１３は、受付けたパケットがＩピクチャＰＥＳか否かを判断する（Ｓ４４４）。この場合、受付けたパケットがＩピクチャＰＥＳであったとすると（Ｓ４４４にてＹＥＳ）、ピクチャヘッダ解析部２１３は、信号により、受付けたパケットがＩピクチャＰＥＳであったことを決定部２２１に通知する。本実施の形態の場合、図９の「ピクチャヘッダ解析部から第２制御ブロックへの信号」欄により表わされるタイミング（ＩピクチャＰＥＳの受付や解析が開始されたタイミング）でパルス信号が出力されることとする（受付けたパケットがオーディオＰＥＳであったとすると、ＰＥＳヘッダ解析部２１２は、信号により、受付けたパケットがオーディオＰＥＳであったことを決定部２２１に通知する。本実施の形態の場合、図９の「ＰＥＳヘッダ解析部から第２制御ブロックへの信号」欄により表わされるタイミング（オーディオＰＥＳの解析が終了したタイミング）でパルス信号が出力されることとする）。
【００５１】
決定部２２１は、ＰＥＳヘッダ解析部２１２が信号を出力すると、ＩピクチャＰＥＳの識別を開始した時刻（ＩピクチャＰＥＳの識別を開始した時刻は、決定部２２１の内部で生成された信号に基づいて特定される。図９の「決定部内で生成される信号」欄は、決定部２２１の内部で信号が生成されるタイミングを表わす信号である）を変数ＴＰに代入する（Ｓ４４６）。変数に時刻が代入されると、ＰＥＳヘッダ解析部２１２は、ビデオストリームとオーディオストリームとを識別する（Ｓ４４２）。ストリームが識別されると、決定部２２１は、ＩピクチャＰＥＳの直後にオーディオＰＥＳが受付けられたか否かを判断する（Ｓ４４８）。オーディオＰＥＳが受付けられたと判断した場合（Ｓ４４８にてＹＥＳ）、決定部２２１は、変数ＴＲに変数ＴＱの値を代入した後、変数ＴＱに変数ＴＰの値を代入する（Ｓ４５０）。値が代入されると、決定部２２１は、変数Ｋの値を「１」増加させる（Ｓ４５２）。値が加算されると、決定部２２１は、変数Ｋの値が「０」を上回るか否かを判断する（Ｓ４５４）。この場合、変数Ｋの値は「０」なので（Ｓ４５４にてＮＯ）、再びＳ４４２〜Ｓ４５２の処理が繰返される。その後、決定部２２１は、変数Ｋが「０」を上回るか否かを判断する（Ｓ４５４）。この場合、変数Ｋの値は「０」を上回るので（Ｓ４５４にてＹＥＳ）、決定部２２１は、変数Ｔ（Ｋ）に変数ＴＱと変数ＴＲとの差を代入する（Ｓ４５６）。これにより、決定部２２１は、モデム２１１がＩピクチャＰＥＳを表わす信号およびオーディオＰＥＳを表わす信号を連続して受付けると、ピクチャヘッダ解析部２１３がＩピクチャＰＥＳを表わす信号の識別を開始する時刻の間隔を測定することとなる。値が代入されると、決定部２２１は、変数Ｋの値が変数Ｎの値（本実施の形態の場合変数Ｎの値は「３」とする）と等しいか否かを判断する。当初、これらの値は等しくないので（Ｓ４５８にてＮＯ）、Ｓ４４２〜Ｓ４５８の処理が繰返される。その結果、変数Ｋと変数Ｎとの値は等しくなるので（Ｓ４５８にてＹＥＳ）、決定部２２１は、変数Ｔ（Ｋ）から簡易再生用ＰＥＳが到来する周期ＴＳを決定する（Ｓ４６０）。本実施の形態の場合、周期ＴＳは、図９の「決定部内で生成される信号」欄のＴ（１）、Ｔ（２）、およびＴ（３）の平均値である。これにより、決定部２２１は、モデム２１１がＩピクチャＰＥＳを表わす信号およびオーディオＰＥＳを表わす信号を連続して受付けると、ピクチャヘッダ解析部２１３がＩピクチャＰＥＳを表わす信号の識別を開始した時刻（特にＩピクチャＰＥＳを表わす信号の識別を開始した時刻の複数の間隔）に基づき、モデム２１１、ＰＥＳヘッダ解析部２１２、およびピクチャヘッダ解析部２１３が稼動する周期を決定することとなる（したがって、再生装置２００は、簡易再生用ＰＥＳが到来する周期が一定である場合に限り、ＩピクチャＰＥＳを複号できることとなる。再生装置２００は、簡易再生用ＰＥＳ以外のＰＥＳが到来する周期が一定でなくても、ＩピクチャＰＥＳを複号できる。ちなみに、変数Ｎの値が「１」の場合、決定部２２１は、モデム２１１がＩピクチャＰＥＳを表わす信号およびオーディオＰＥＳを表わす信号を連続して受付けると、ピクチャヘッダ解析部２１３がＩピクチャＰＥＳを表わす信号の識別を開始した時刻を記憶しておき、次にモデム２１１がＩピクチャＰＥＳとオーディオＰＥＳを連続して受付けると、ピクチャヘッダ解析部２１３がＩピクチャＰＥＳを表す信号の識別を開始した時刻と前記記憶した時刻との間隔に基づき、モデム２１１、ＰＥＳヘッダ解析部２１２、およびピクチャヘッダ解析部２１３が稼動する周期を決定することとなる）。
【００５２】
周期ＴＳが決定されると、動作モード切替部２６０はアプリケーションレベルのユーザインタフェースなどから省電力モードに遷移する旨の割込みがあったか否かを判断する（Ｓ４０４）。本実施の形態の場合、図１０に示すＴＡの時点で変数Ｔ（Ｎ）に値が代入されたとすると、動作モード切替部２６０はアプリケーションレベルのユーザインタフェースなどから省電力モードに遷移する旨の割込みがあったかどうかを確認し、割り込みがあったと判断した場合には（Ｓ４０４にてＹＥＳ）、制御部２２２に対し、図１０に示すＴＢの時点で、準備モードに遷移するように信号を出力することとする。これにより、動作モード切替部２６０は、制御部２２２が稼動するか否かを制御することとなる。図１０は、再生装置２００のモードが通常モードから省電力モードへ遷移する間の、信号のタイミングチャートである。モードが通常モードから準備モードに遷移すると、ＰＥＳヘッダ解析部２１２がビデオストリームとオーディオストリームとを識別する（Ｓ４０６）。ストリームが識別されると、ピクチャヘッダ解析部２１３は、ビデオストリームがＩピクチャＰＥＳか否かを判断する（Ｓ４０８）。図１０に示すＴＣの時点で、ビデオストリームがＩピクチャＰＥＳとすると（Ｓ４０８にてＹＥＳ）、再生装置２００は省電力モードに遷移する。
【００５３】
決定部２２１は、時間ＴＣのタイミングで自らのカウンタを起動し、カウンタ値Ｃを時間に連動するようにカウントアップさせる（Ｓ４１０）。カウンタ値Ｃがカウントアップされると、ＰＥＳヘッダ解析部２１２は、ＩピクチャＰＥＳの直後にオーディオＰＥＳが受付けられたか否かを判断する（Ｓ４１２）。この場合、オーディオＰＥＳが受付けられたとすると（Ｓ４１２にてＹＥＳ）、オーディオ復号部２３０は、簡易再生用ＰＥＳを受付けたとして、オーディオＰＥＳを復調する（Ｓ４１４）。オーディオＰＥＳが復調されると、制御部２２２は、図１０に示すＴＤの時点で、第１制御ブロック２１０の各装置が電力を断つように制御する（Ｓ４１８）。電力が断たれると、制御部２２２は、カウンタＣが「０」か否かを判断する（Ｓ４２０）。この場合、カウンタ値Ｃは「０」ではないので（Ｓ４２０にてＮＯ）、Ｓ４１８〜Ｓ４２０の処理が繰返される。その間、第１制御ブロック２１０への電力は絶たれている。その後、図１０に示すＴＥの時点で、カウンタ値Ｃが一周して「０」に戻るので（Ｓ４２０にてＹＥＳ）、制御部２２２は、ＩピクチャＰＥＳが到来したと判断し、第１制御ブロック２１０が通電を開始するように制御する（Ｓ４２２）。通電が開始されると、その後、制御部２２２は、ＩピクチャＰＥＳの復調を終了する（Ｓ４２６）、復調が終了すると、オーディオ復号部２３０は、オーディオＰＥＳの復調を開始する（Ｓ４２８）。復調が開始されると、最終的に、オーディオＰＥＳの復調が終了する（Ｓ４３０）。Ｓ４１８〜Ｓ４２０の処理によって、制御部２２２は、決定部２２１が決定した周期で電力を供給することにより、モデム２１１、ＰＥＳヘッダ解析部２１２、およびピクチャヘッダ解析部２１３を制御することとなる。図１０に示すように、モデム２１１から出力されるパケットは簡易再生用ＰＥＳのみとなる。モデム２１１から出力されるパケットが簡易再生用ＰＥＳのみなので、オーディオＰＥＳは通常モードの期間と同じように復号できる。ビデオ復号ブロック２４０へ入力されるパケットはＩピクチャＰＥＳのみとなる。ＩピクチャＰＥＳは、可変長復号器２４１で量子化ＤＣＴ係数に復号され、逆量子化器２４２で量子化ＤＣＴ係数からＤＣＴ係数に変換され、逆ＤＣＴ器２４３でＤＣＴ係数から画像に変換され、表示部２５０に出力される。ＰピクチャＰＥＳとＢピクチャＰＥＳとはビデオ復号ブロック２４０に入力されないので、フレームメモリ２４６と動き補償予測回路２４７とを動作させる必要がなくなる。可変長復号器２４１、逆量子化器２４２、逆ＤＣＴ器２４３は、ＰピクチャＰＥＳとＢピクチャＰＥＳとが復号されない分、動作頻度が少なくなる。
【００５４】
復調が終了すると、動作モード切替部２６０は、省電力モードを終了する旨の割込みがあったか否かを判断する（Ｓ４３２）。そのような割込みがない間（Ｓ４３２にてＮＯ）、Ｓ４１８以降の処理が繰返される。その後、そのような割込みがあると、（Ｓ４３２にてＹＥＳ）、動作モード切替部２６０は、再生装置２００が通常モードに復帰するよう制御する（Ｓ４３４）。
【００５５】
以上のようにして、本実施の形態に係る再生装置は、省電力モードの期間、第１制御ブロック、オーディオ復号部、およびビデオ復号ブロックにおいてＩピクチャＰＥＳのみを復号することとなる。Ｐピクチャを表わすＰＥＳおよびＢピクチャを表わすＰＥＳは復号されない。これにより、ビデオ復号ブロックにおける処理量は軽減される。併せて、第１制御ブロックの電力は、省電力モードであってＰピクチャおよびＢピクチャを表わすＰＥＳが受付けられる期間、電力が断たれる。これにより、省電力が実現される。携帯電話向け地上波デジタル放送（１セグメント放送）は、携帯電話やＰＤＡ（Personal Digital Assistant）などでの受信（ひいては視聴）が想定されている。携帯電話やＰＤＡなどによる視聴が可能な時間は、電池の容量に依存する。視聴が可能な時間が電池の容量に依存するので、視聴が可能な時間は比較的短い。視聴が可能な時間をより長くするためには、信号を復号する時に動作させる装置や回路を削減したり、動作クロック周波数を落としたりすることで、電池の消費電力を低減する必要がある。本実施の形態に係る再生装置は、従来の携帯電話やＰＤＡなどに比べ、十分に消費電力を軽減できる。その結果、従来の携帯電話やＰＤＡなどに比べ、より長く視聴できる再生装置を提供することができる。
【００５６】
なお、再生装置２００は、Ｉピクチャ、Ｐピクチャ、Ｂピクチャ、および音声を表わすデータであってＭＰＥＧ以外の規格に則ったデータを受付ける装置であってもよい。「Ｉピクチャ、Ｐピクチャ、Ｂピクチャ、および音声を表わすデータであってＭＰＥＧ以外の規格に則ったデータ」の例として、Ｈ．２６４がある。Ｈ．２６４とは、ＭＰＥＧ−２の符号化効率をさらに２倍程度向上させた符号化方式である。Ｈ．２６４は、テレビ会議システムやデジタル放送の１セグメント放送にも採用されている。
【００５７】
また、簡易再生用ＰＥＳは、ＩピクチャＰＥＳおよびオーディオＰＥＳのいずれが先に受付けられるＰＥＳであってもよい。
【００５８】
また、Ｓ４４６にて、変数ＴＰに代入される時刻は、ＩピクチャＰＥＳの識別を開始した時刻に限定されない。変数ＴＰに代入される時刻は、ＩピクチャＰＥＳを表わす信号およびオーディオＰＥＳを表わす信号の一方（ＩピクチャＰＥＳおよびオーディオＰＥＳのうち先に受付けられたＰＥＳ）の識別を開始した時刻から他方の識別を終了した時刻までのいずれかの時刻であってもよい。これにより、決定部２２１は、モデム２１１がＩピクチャＰＥＳを表わす信号およびオーディオＰＥＳを表わす信号を受付けると、ＩピクチャＰＥＳを表わす信号およびオーディオＰＥＳを表わす信号の一方（ＩピクチャＰＥＳおよびオーディオＰＥＳのうち先に受付けられたＰＥＳ）の識別を開始した時刻から他方の識別を終了した時刻までのいずれかの時刻に基づき、モデム２１１、ＰＥＳヘッダ解析部２１２、およびピクチャヘッダ解析部２１３が稼動する周期を決定することとなる。
【００５９】
また、簡易再生用ＰＥＳは、オーディオＰＥＳと、そのパケットに連続するＩピクチャＰＥＳとで構成されてもよい。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６１】
【図１】本発明の実施の形態に係る再生装置の制御ブロック図である。
【図２】本発明の実施の形態に係るＭＰＥＧデータの構造を表わす概念図である。
【図３】本発明の実施の形態に係るＰＥＳの第１の配列を表わす図である。
【図４】本発明の実施の形態に係るＰＥＳの第２の配列を表わす図である。
【図５】本発明の実施の形態に係る再生装置を実現するコンピュータハードウェアの制御ブロック図である。
【図６】本発明の実施の形態に係る遷移処理の制御の手順を示す第１のフローチャートである。
【図７】本発明の実施の形態に係る遷移処理の制御の手順を示す第２のフローチャートである。
【図８】本発明の実施の形態に係る周期の算出処理の制御の手順を示すフローチャートである。
【図９】本発明の実施の形態に係る通常モードでの信号のタイミングチャートである。
【図１０】本発明の実施の形態に係るモードが通常モードから省電力モードへ遷移する間の信号のタイミングチャートである。
【図１１】従来例に係る再生装置の制御ブロック図である。
【符号の説明】
【００６２】
１１１，２１１，３１２  モデム、１１２，２１２  ＰＥＳヘッダ解析部、１１３  ピクチャヘッダ解析回路、１１４  ピクチャヘッダカウンタ回路、１３０，２３０  オーディオ復号部、１４０，２４０  ビデオ復号ブロック、１４１，２４１  可変長復号器、１４２，２４２  逆量子化器、１４３，２４３  逆ＤＣＴ器、１４４，２４４  加算器、１４５，２４５  Ｂ・Ｐピクチャ専用部、１４６，２４６  フレームメモリ、１４７，２４７  動き補償予測回路、１５０，２５０  表示部、２００  再生装置、２１０  第１制御ブロック、２１３  ピクチャヘッダ解析部、２２０  第２制御ブロック、２２１  決定部、２２２  制御部、２６０  動作モード切替部、３００  コンピュータハードウェア、３０４  ＣＰＵ、３０６  モニタ、３０８  記憶部、３１０  入力装置、３１４  固定ディスク、３１６  ＦＤ駆動装置、３１８  ＣＤ−ＲＯＭ駆動装置、３２０  ＦＤ、３３０  ＣＤ−ＲＯＭ。
【図１】
2006319885.tif 000003
【図２】
2006319885.tif 000004
【図３】
2006319885.tif 000005
【図４】
2006319885.tif 000006
【図５】
2006319885.tif 000007
【図６】
2006319885.tif 000008
【図７】
2006319885.tif 000009
【図８】
2006319885.tif 000010
【図９】
2006319885.tif 000011
【図１０】
2006319885.tif 000012
【図１１】
2006319885.tif 000013